(57)【要約】【課題】観察行為を疑似的に体感させる知育玩具を提供する。【解決手段】玩具システム９００は、絵画部９１４を有する本体部９１０のページ９１２へ、ルーペ型ハンディ機器９３０を当てて使用する。ルーペ型ハンディ機器９３０は、絵画部９１４を撮影して、当該絵画部の画像の何処を撮影しているかを判別する。そして、予め記憶している絵画部９１４と同じ絵画画像の画像データから被撮影位置に該当する部分（部分画像）の画像データを読み出して、タッチパネル９４２にて表示させる。被撮影位置が所定の位置条件を満たす場合には、更に特別画像として画像要素Ｗ４１〜Ｗ４９の何れかを選択して部分画像に重ね表示させる。【選択図】図５
2020074197.tif 000002
【特許請求の範囲】
【請求項１】
情報が記載された情報部と、撮影部、表示部、記憶部および制御部を備えた携帯型電子機器とを具備した情報提供システムであって、
前記情報部には、前記情報部を前記撮影部で認識した場合に、前記認識した画像に基づいて前記情報部中の被撮影位置を識別可能に構成された画像が描かれており、
前記記憶部は、前記情報部の部分画像を前記表示部に表示するための画像データを記憶し、
前記制御部は、前記撮影部によって認識した画像に基づいて前記情報部中の被撮影位置を識別し、前記被撮影位置に応じた前記情報部中の部分画像を前記画像データに基づいて前記表示部に表示制御させる、
情報提供システム。
【請求項２】
請求項１において、
前記制御部は、前記被撮影位置が所定の特別画像を表示するための位置条件を満たした場合に、前記表示部に表示する前記部分画像上に当該特別画像を表示させる情報提供システム。
【請求項３】
請求項２において、
前記携帯型電子機器は、計時部を更に備え、
前記制御部は、前記計時部による計時情報に基づいて前記特別画像を可変に制御する情報提供システム。
【請求項４】
請求項２又は請求項３において、
前記制御部は、前記表示部に表示した前記特別画像の履歴を前記記憶部に記憶させ、当該履歴に基づいて、過去に表示した前記特別画像を前記表示部に表示させる記録表示制御部を有する情報提供システム。
【請求項５】
請求項１乃至請求項４のいずれか一項において、
前記情報部は、前記近接撮影で撮影した撮影画像が、被撮影位置に応じて異なる画像で構成されてなる情報提供システム。
【請求項６】
請求項１乃至請求項４のいずれか一項において、
前記情報部は、肉眼で判別不可能なコード画像が所定の配置規則で埋め込まれた画像で構成されてなる情報提供システム。
【請求項７】
請求項１乃至請求項６のいずれか一項において、
前記携帯型電子機器は、覗き窓部を備えたルーペ形状を有し、
前記表示部が、前記覗き窓部に設けられた情報提供システム。
【請求項８】
撮影部、及び表示部を備えたコンピュータを、
情報部に記載された情報を前記撮影部で認識した場合に、前記撮影部で認識した画像に基づいて、前記情報部中の被撮影位置を識別する被撮影位置識別手段、
前記被撮影位置識別手段により識別された被撮影位置に基づいて、前記コンピュータに記憶された前記情報部中の部分画像データを前記表示部に表示制御させる部分画像表示制御手段、
として機能させる情報提供プログラム。
【請求項９】
請求項８において、
前記コンピュータを、
前記被撮影位置の位置条件を判別する被撮影位置条件識別手段、
前記位置条件が所定の特別画像を表示するための位置条件を満たした場合に、前記表示部に表示される前記部分画像上に当該特別画像を表示制御する特別画像表示制御手段、
として機能させる情報提供プログラム。
【請求項１０】
請求項９において、
前記コンピュータは、更に計時部を備え、
前記コンピュータを、
前記計時部による計時情報に基づいて前記特別画像を可変に表示制御する計時情報対応画像選択手段として機能させる情報提供プログラム。
【請求項１１】
請求項９又は請求項１０において、
前記コンピュータを、
前記表示部に表示した前記特別画像の履歴を前記記憶部に記憶させる特別画像表示履歴記憶手段、
前記履歴に基づいて、過去に表示した前記特別画像を前記表示部に表示制御する記録表示制御手段、として機能させる情報提供プログラム。
【請求項１２】
請求項８乃至請求項１１のいずれか一項において、
前記被撮影位置識別手段において、前記被撮影位置は、前記絵画画像中の画像のパタンマッチングにより識別される情報提供プログラム。
【請求項１３】
請求項８乃至請求項１１のいずれか一項において、
前記被撮影位置識別手段において、前記被撮影位置は、前記絵画画像中の肉眼で判別不可能なコード画像により識別される情報提供プログラム。
【発明の詳細な説明】
【技術分野】
【０００１】
本発明は、情報提供システム等に関する。
【背景技術】
【０００２】
人の目には見えない不可視コードを用いて情報を提供する技術が提案されている。
例えば、特許文献１では、ヘッドマウントディスプレイを用いて情報提示する技術が開示されている。当該文献におけるヘッドマウントディスプレイは、ユーザが外界の様子を見るための光学経路上にハーフミラーを有し、更にこのハーフミラーで反射した外界の様子を撮影することができる受光装置（撮像素子）を搭載している。ユーザがこのヘッドマウントディスプレイを装着して不可視コードが埋め込まれた提示物を見ると、撮像素子で撮影した当該不可視コードに対応した画像等がサーバシステムから読み出されて、ヘッドマウントディスプレイが搭載する画像表示装置でハーフミラーに投影される。
【先行技術文献】
【特許文献】
【０００３】
【特許文献１】特開２００３−２４２１６８号公報
【発明の概要】
【発明が解決しようとする課題】
【０００４】
特許文献１によれば、ヘッドマウントディスプレイを装着しているユーザの目には、本来そこには存在しない画像が提示物の像に重なって見えるようになる。情報提供の有意性とは別に、現実世界における肉眼では見えないものが画面越しでは見えるといった体験は、大人であってもとても印象深いものである。ましてや、子供では一層印象深く感じるであろうことは想像に難くなく、そのインパクトは子供の知育においても利用する価値が高いと考えられる。
【０００５】
本発明は、より興趣性の高い情報提供システムおよびそのプログラムを提供することを目的とする。
【課題を解決するための手段】
【０００６】
本発明の情報提供システムは、情報が記載された情報部（例えば、図１の絵画部９１４）と、撮影部（例えば、図２のカメラモジュール９５５）、表示部（例えば、図２のタッチパネル９４２）、記憶部（例えば、図２のＩＣメモリ９５２、ＳｏＣ９５１に内蔵される半導体メモリ）および制御部（例えば、図２の制御基板９５０、ＳｏＣ９５１）を備えた携帯型電子機器（例えば、図１のルーペ型ハンディ機器９３０）とを具備した情報提供システムであって、前記情報部には、前記情報部を前記撮影部で認識した場合に、前記認識した画像に基づいて前記情報部中の被撮影位置を識別可能に構成された画像が描かれており、前記記憶部は、前記情報部の部分画像を前記表示部に表示するための画像データ（例えば、図１０の絵画画像データ５２２）を記憶し、前記制御部は、前記撮影部によって認識した前記画像に基づいて前記情報部中の被撮影位置を識別し、前記被撮影位置に応じた前記情報部中の部分画像を前記画像データに基づいて前記表示部に表示制御させる（例えば、図１２のステップＳ１０）
【０００７】
また、本発明の情報提供システムにおいて、前記制御部が、前記被撮影位置が所定の特別画像を表示するための位置条件を満たした場合に、前記表示部に表示する前記部分画像上に当該特別画像（例えば、図５の特別画像の第１の画像要素Ｗ４１）を表示させる（例えば、図１２のステップＳ３０〜Ｓ３４）ことが好ましい。
【０００８】
また、本発明の情報提供システムにおいて、前記携帯型電子機器が、計時部（例えば、図２の時計部９５３）を更に備え、前記制御部は、前記計時部による計時情報に基づいて前記特別画像を可変に制御する（例えば、図１２のステップＳ３２）ことが好ましい。
【０００９】
また、本発明の情報提供システムにおいて、前記制御部が、前記表示部に表示した前記特別画像の履歴（例えば、図９の特別画像表示履歴データ５６０）を前記記憶部に記憶させ、当該履歴に基づいて、過去に表示した前記特別画像を前記表示部に表示させる記録表示制御部（例えば、図８の記録表示制御部２２２、図１２のステップＳ５０〜Ｓ５６）を有することが好ましい。
【００１０】
また、本発明の情報提供システムにおいて、前記情報部は、前記近接撮影で撮影した撮影画像が、被撮影位置に応じて異なる画像で構成されてなることが好ましい。
【００１１】
また、本発明の情報提供システムにおいて、前記情報部は、肉眼で判別不可能なコード画像（例えば、図３のコード画像２０）が所定の配置規則で埋め込まれた画像で構成されてなることが好ましい。
【００１２】
また、本発明の情報提供システムにおいて、前記携帯型電子機器が、覗き窓部を備えたルーペ形状を有し、前記表示部が、前記覗き窓部に設けられることが好ましい。
【００１３】
また、本発明は、撮影部、及び表示部を備えたコンピュータを、情報部に記載された情報を前記撮影部で認識した場合に、前記撮影部で認識した画像に基づいて、前記情報中の被撮影位置を識別する被撮影位置識別手段（例えば、図８の制御部２００、被撮影位置識別部２０６、図１２のステップＳ８）、前記被撮影位置識別手段により識別された被撮影位置基づいて、前記コンピュータに記憶された前記情報部中の部分画像データを前記表示部に表示制御させる部分画像表示制御手段（例えば、図８の制御部２００、部分画像表示制御部２０８、図１２のステップＳ１０）、として機能させる情報提供プログラム（例えば、図９のハンディ機器制御プログラム５０２）である。
【００１４】
また、本発明の情報提供プログラムにおいて、前記コンピュータを、前記被撮影位置の位置条件を判別する被撮影位置条件識別手段、前記位置条件が所定の特別画像を表示するための位置条件を満たした場合に、前記表示部に表示される前記部分画像上に当該特別画像を表示制御する特別画像表示制御手段、として機能させることが好ましい。
【００１５】
また、本発明の情報提供プログラムにおいて、前記コンピュータは、更に計時部を備え、前記コンピュータを、前記計時部による計時情報に基づいて前記特別画像を可変に表示制御する計時情報対応画像選択手段として機能させることが好ましい。
【００１６】
また、本発明の情報提供プログラムにおいて、前記コンピュータを、前記表示部に表示した前記特別画像の履歴を前記記憶部に記憶させる特別画像表示履歴記憶手段、前記履歴に基づいて、過去に表示した前記特別画像を前記表示部に表示制御する記録表示制御手段、として機能させることが好ましい。
【００１７】
また、本発明の情報提供プログラムは、前記被撮影位置識別手段において、前記被撮影位置は、前記絵画画像中の画像のパタンマッチングにより識別されることが好ましい。
【００１８】
また、本発明の情報提供プログラムは、前記被撮影位置識別手段において、前記被撮影位置は、前記絵画画像中の肉眼で判別不可能なコード画像により識別されることが好ましい。
【図面の簡単な説明】
【００１９】
【図１】子供向けの玩具システムの構成例を示す図。
【図２】ルーペ型ハンディ機器の構成例を示す図。
【図３】絵画部の構成例を示す図。
【図４】ルーペ型ハンディ機器における画像表示の例について説明するための図。
【図５】撮影画像に特定範囲が含まれる場合のルーペ型ハンディ機器における画像表示の例について説明するための図。
【図６】撮影画像に特定範囲が含まれる場合のルーペ型ハンディ機器における画像表示の例について説明するための図。
【図７】観察図鑑モードにおける画面表示例を示す図。
【図８】ルーペ型ハンディ機器の機能構成例を示す機能ブロック図。
【図９】ルーペ型ハンディ機器の記憶部に記憶されるプログラムやデータの例を示す図。
【図１０】絵画部定義データのデータ構成例を示す図。
【図１１】特別画像定義データのデータ構成例を示す図。
【図１２】ルーペ型ハンディ機器における処理の流れについて説明するためのフローチャート。
【発明を実施するための形態】
【００２０】
以下、本発明を適用した実施形態の一例を説明するが、本発明を適用可能な実施形態は以下の例に限られるものではない。
図１は、本実施形態における子供向けの玩具システム９００の構成例を示す図である。本実施形態の玩具システム９００は、本体部９１０と、ルーペ型ハンディ機器９３０とを有する。
【００２１】
本体部９１０は、絵画部９１４を備えた複数のページ９１２を有する冊子体である。本実施形態では、バインダフレーム９１６にリング９１８で複数のページ９１２を着脱自在に綴じた所謂「リングファイル」としたが、のり付けや紐綴じされたノートや書籍型としてもよい。
なお、ページ９１２の数は適宜設定可能であり、１つのページ９１２は折りたたみ式でもよい。また、図示の例では、１つのページ９１２に１つの絵画部９１４を設けた構成としているが、１つのページ９１２に複数の絵画部９１４を設ける構成や、複数のページ９１２で１つの絵画部９１４を構成するいわゆる“見開き”構成も可能である。絵画部９１４は、各ページ９１２に印刷された構成でもよいし、シール紙として各ページ９１２に貼付された構成でもよい。
【００２２】
ルーペ型ハンディ機器９３０は、ルーペを模した外観を有したコンピュータに相当する電子機器であって、ルーペのようにしてユーザが把持して絵画部９１４を覗き込むようにして使用する。
【００２３】
図２は、本実施形態におけるルーペ型ハンディ機器９３０の構成例を示す図であって、図２（１）がユーザ側に向けられる正面図、図２（２）が側面図である。
ルーペ型ハンディ機器９３０の外観は、ルーペの形状を有している。具体的には、円板型筐体部９３２の側面から操作部９３４を介して棒状の把持部９３６が延設され、円板型筐体部９３２の裏面には透明樹脂または半透明な樹脂でできた略円筒状の採光スカート部９３８が設けられている。なお、把持部９３６は、採光スカート部９３８を絵画部９１４上に載置した際、倒れず自立する程度の長さで設けられていることが好ましい。
【００２４】
円板型筐体部９３２の正面側中央には、覗き窓部９４０が設けられておりタッチパネル９４２が嵌め込まれている。
【００２５】
円板型筐体部９３２の内部には、制御基板９５０が内蔵されている。制御基板９５０は、例えばＳｏＣ（Ｓｙｓｔｅｍ−ｏｎ−Ｃｈｉｐ）９５１と、ＩＣメモリ９５２と、時計部９５３と、タッチパネル９４２を作動させるためのタッチパネルドライバＩＣ９５４と、カメラモジュール９５５とを搭載する。そして、把持部９３６に内蔵される内蔵バッテリー９３７から電力を得て稼動する。
【００２６】
ＳｏＣ９５１に内蔵されているＣＰＵは、ＩＣメモリ９５２に記憶されているプログラムとデータを読み出して演算処理して、ルーペ型ハンディ機器９３０の動作を統合的に制御する。
ＩＣメモリ９５２には、プログラムと各種データが記憶されている。その各種データの中には、各ページ９１２に印刷されている絵画部９１４の絵画画像の画像データが含まれている。
【００２７】
時計部９５３は、パソコン等に内蔵されるリアルタイムクロックICであって、現在日時を常時計時してＳｏＣ９５１に出力する。勿論、時計部９５３を、ＳｏＣ９５１がクロック信号に基づいて日時を計数演算するソフトウェアクロックとして実現してもよく、少なくとも時間、日付、季節（時季）のうちの一つを計時する計時部を有することが好ましい。
【００２８】
カメラモジュール９５５は、レンズ等の光学素子や、フィルター、撮影した画像データを生成しＳｏＣ９５１へ出力するセンサーチップなどを搭載した公知のイメージセンサーである。本実施の形態のカメラモジュール９５５は、可視光は勿論のこと不可視領域の赤外線または紫外線も撮影することができる。そして、カメラモジュール９５５は、円板型筐体部９３２の裏面側の被写体を撮影するように設けられており、その光軸Ｌはタッチパネル９４２の画面中心点を通るように設定されている。焦点距離を含む光学諸元は、少なくとも採光スカート部９３８の端面に押し当てられた被写体にピントが合うような近接距離撮影が可能な設定とされている。オートフォーカス機能を搭載していてもよい。また、本実施の形態において、カメラモジュール９５５の前方に赤外線透過フィルムが設けられている。本実施の形態において、赤外線透過フィルムは、可視印刷部で反射された赤外光をより効率的にカメラモジュール９５５で認識するためのものであり、可視光を吸収し、赤外光を透過する部材であれば特に限定されるものではない。
【００２９】
操作部９３４は、ユーザが操作入力するための複数の操作スイッチ９３５を備える。
【００３０】
図３は、本実施形態における絵画部９１４の構成例を示す図である。
本実施の形態において、絵画部９１４は、画像コンテンツであり、イラストに分類される絵画画像を例示したが、情報が記載された情報部を持つものであればこれに限られることはなく、写真、タイポグラフィーなどそのジャンルは問わない。また、文字情報（本実施形態でいう「画像」に含むものとする）であってもよい。また、２次元画像でも良いし立体視画像でもよい。
【００３１】
絵画部９１４は、赤外光を反射する通常の可視インクによる可視印刷部と、ユーザの肉眼には見えない不可視の赤外線吸収インクで印刷された不可視印刷部とで構成される。本実施の形態では、例えば、近赤外領域の光の吸収率が高い印刷用塗料を用いて不可視印刷部が印刷される。可視印刷部のみを図示すると、図３（１）に示すようになる。これがユーザの肉眼で把握できる画像すなわち可視光領域での絵画部９１４の姿である。これに加えて不可視印刷部を模式的に図示すると、図３（２）に示すようになる。
【００３２】
絵画部９１４の絵画画像の可視印刷部には、単数又は複数の観察対象部３０（図示の例では右方の観察対象部３０ａと左方の観察対象部３０ｂの２箇所）が含まれている。観察対象部３０は、それぞれデータ上、固有の特定範囲３２（図示の例では右方の特定範囲３２ａと左方の特定範囲３２ｂの２箇所）として定義されている。本実施形態の特定範囲３２は、観察対象部３０を囲う矩形領域であって、絵画画像座標系における四隅の座標により定義されている。
【００３３】
不可視印刷部は、カメラモジュール９５５で撮影した場合に、撮影画像に基づいて当該絵画画像中の被撮影位置を識別可能なように、複数のコード画像２０が所定の配列規則で並べられて構成されている。換言すれば、絵画部９１４の絵画画像には、肉眼では判別できないコード画像２０が埋め込まれている。なお、本実施の形態において「撮影」とは、写真や動画として画像を記録する行為のみではなく、カメラモジュール９５５によって画像を認識する行為すべてを含むものとする。
【００３４】
コード画像２０は、不可視の赤外線吸収インクで印刷されており、可視印刷部は、赤外線領域の光を反射するインクで印刷されているため、赤外線透過フィルムが設けられたカメラモジュール９５５で撮影すると、図３（２）のようにコード画像２０を認識し、識別することが可能となる。なお、本実施の形態において、絵画部９１４に対して赤外線を照射する光源を設けることにより、コード画像２０の識別率をより向上させることができるため好ましい。例えば、円板型筐体部９３２の裏面側に赤外LEDを設け、カメラモジュール９５５の被写体に対し赤外光が照射されるようにすることができる。
【００３５】
コード画像２０は、それぞれが固有の情報を担持するコードである。そして、複数のコードが所定規則で配列されている。具体的には、上から一列目には正姿勢のコード画像２０が所定間隔で配置される。上から二列目には正姿勢から４５°反時計回りに回転させた傾斜姿勢のコード画像２０が、一列目のコード画像２０の間隔とは半分ずれた所定間隔で配置される。三列目は一列目のコード画像２０を左右反転させた状態で配置され、四列目は二列目と同様に、正姿勢から４５°反時計回りに回転させた傾斜姿勢のコード画像２０が、三列目のコード画像２０の間隔とは半分ずれた所定間隔で配置される。なお、一列当たりのコード画像２０の数や、列数は適宜設定可能である。但し、採光スカート９３８を絵画部９１４に当てて近接撮影した場合に、撮影画像中に少なくとも１つのコード画像２０が含まれるように、コード画像２０の配置規則（配置数を含む）を定めると良い。撮影画像に含まれたコード画像２０から撮影位置や撮影角度等を把握するためである。なお、撮影画像中に少なくとも２つのコード画像２０が含まれるように撮影し、２つ以上のコード画像を判別することにより、より正確に被撮影位置を算出できるため好ましい。
【００３６】
コード画像２０がそれぞれ固有の情報を担持していること、また傾斜姿勢で配列されていることから、カメラモジュール９５５で撮影した撮影画像に写っているコード画像２０を識別・解読することにより、当該撮影画像が絵画部９１４の絵画画像の何処を撮影しているかを知ることができる。換言すれば、被撮影位置を知ることが可能であり、絵画画像の座標系における撮影画像の中心位置座標を知ることができる。
【００３７】
印刷されているコード画像２０のコードパターン（コード情報）には、ページ９１２毎すなわち絵画部９１４毎に固有の情報と、当該絵画部９１４中の位置情報と、当該コード画像２０が当該絵画部９１４に対してどの向きで印刷されているかを示す向きの情報とが含まれている。また、コード画像２０そのものに向きがある。したがって、撮影したコード画像２０から、今現在、カメラモジュール９５５がどの絵画部９１４を撮影しているか、その絵画部９１４中のどの位置を撮影しているかの大まかな位置、どの角度（ページ９１２に向かって時計回り／反時計回りの回転角度）で撮影しているかを知ることができる。また、撮影した２つ以上のコード画像の距離から、その絵画部９１４中のどの位置を撮影しているかの詳細な位置を知ることができる。
【００３８】
不可視印刷部の目的は、絵画画像をカメラモジュール９５５で近接撮影した場合に、撮影画像に基づいて当該絵画画像中の被撮影位置を識別可能にすることである。言い換えると、絵画画像のうちの撮影している位置或いは範囲、又は当該範囲を定義するための代表位置を識別可能にすることである。
よって、不可視印刷部の構成は本実施形態の例に限らず、例えば、ドットの分布によって識別情報を定義する構成としてもよい。また、通常の可視のインクで描画されたコード画像やドット分布としてもよい。あるいは、カメラモジュール９５５で撮影した可視印刷部の画像内容自体を画像パターン認識で逐次識別することにより、撮影している位置或いは範囲、又は当該範囲を定義するための代表位置を識別する構成とすることも可能である。その場合、不可視印刷部それ自体や、赤外線透過フィルム、赤外光源等を省略することができ、好適である。
【００３９】
図４は、ルーペ型ハンディ機器９３０における画像表示の例について説明するための図である。
ユーザは、あたかもルーペで昆虫を観察するかのごとく、ルーペ型ハンディ機器９３０の把持部９３６を手で握って、採光スカート部９３８（図２参照）の端面がページ９１２に当たるようにしてルーペ型ハンディ機器９３０を絵画部９１４へ当てる。そして、覗き窓部９４０を覗き見る。
【００４０】
ルーペ型ハンディ機器９３０は、逐次、ページ９１２をカメラモジュール９５５で撮影し、撮影画像の中にコード画像２０の検出とコード画像２０の解析とを行う。そして、撮影画像に写ったコード画像２０から今現在どの絵画部９１４を撮影しているか、絵画部９１４中のどの位置を撮影しているか、どの角度で撮影しているかを判別する。
【００４１】
前述のようにルーペ型ハンディ機器９３０のＩＣメモリ９５２には、全ての絵画部９１４と同じ絵画画像を表示部に表示可能な画像データが記憶されている。ルーペ型ハンディ機器９３０は、今撮影している絵画部９１４の絵画画像のうちの被撮影範囲と一致する範囲の部分画像Ｗ２をＩＣメモリ９５２から抽出してタッチパネル９４２に表示させる。つまり、ルーペ型ハンディ機器９３０のタッチパネル９４２には、撮影されている絵画部９１４の撮影画像は表示されない。よって、覗き窓部９４０を覗き込んでいるユーザには、タッチパネル９４２越しにルーペ型ハンディ機器９３０を当てている部分の絵画部９１４の部分画像Ｗ２が見える。図４の例では、画像左上の森の上にルーペ型ハンディ機器９３０を当てているので、森の様子が描かれた部分の部分画像Ｗ２が表示されている。ルーペ型ハンディ機器９３０をずらせば、部分画像Ｗ２として表示される画像もスクロール表示されて追従して変化するので、ユーザの感覚としては、タッチパネル９４２がまるでルーペのレンズであるかのように感じられる。
【００４２】
なお、本実施の形態では、ＩＣメモリ９５２から抽出される部分画像Ｗ２は、部分画像Ｗ２の輪郭が、被撮影範囲の画像の輪郭と一致する画像であればよく、必ずしも画像自体の内容まで一致させる必要はない。例えば、被撮影範囲の画像と異なる彩色がされていたり、特別演出を行う画像が追加された画像を部分画像として表示してもよい。被撮影範囲の画像と部分画像とを異ならせることにより、より面白い表示をさせることが可能であり、興趣性の向上したルーペ型ハンディ機器９３０を提供することができる。
【００４３】
なお、念の為の繰り返しの説明となるが、ルーペ型ハンディ機器９３０のタッチパネル９４２に表示されるのは、撮影画像そのものではない。ＩＣメモリ９５２に記憶された絵画画像の画像データのうち、撮影画像から判別した撮影範囲に対応する部分画像が、タッチパネル９４２に表示されるのである。本実施の形態のように、ＩＣメモリ９５２に記憶された絵画画像の画像データのみを表示部に表示することにより、本来なら表示部に表示されるであろうコード画像が表示部に表示されないため、コード画像の表示部への写りこみを気にする必要がなくなり、簡単な構成で絵画部の絵画画像とコード画像のデザインの自由度を向上させることができる。
【００４４】
図５および図６は、撮影画像に特定範囲３２が含まれる場合のルーペ型ハンディ機器９３０における画像表示の例について説明するための図である。
カメラモジュール９５５で撮影された撮影画像内に特定範囲３２の一部又は全部が含まれていると判断された場合、ルーペ型ハンディ機器９３０は、当該特定範囲３２に対応する観察対象部３０に係る「特別画像」を部分画像上に表示する。換言すると、被撮影位置が所定の位置条件を満たしたと判断して、部分画像上に特別画像を表示する。
【００４５】
「特別画像」とは、撮影されている絵画画像中の観察対象部３０の様子の違いを現す単数または複数の画像要素で構成される。ルーペ型ハンディ機器９３０は、特定範囲３２と対応付けられた特別画像の定義データを予め記憶しており、当該定義データでは「表示条件」毎に画像要素データが格納されている。本実施形態の特別画像を構成する１つの画像要素はアニメーション（動画）とするが静止画でもよい。そして、「表示条件」の設定の仕方によって、本実施形態の特別画像は２タイプある。
【００４６】
図５の例は、「表示条件」として、最初に当該特定範囲３２を撮影した日時からの経過時間を設定したタイプである。
図５の例では、絵画部９１４の右方の観察対象部３０ａには、鉢植えとそれを育てる眉毛ウサギのキャラクタとが描かれているが、鉢植えには芽が出ていない。観察対象部３０ａの特定範囲３２ａを最初に撮影した日時からの経過時間が１日目〜２日目では、水やりをするウサギの姿をアニメーションする第１の画像要素Ｗ４１が特別画像として選択されてタッチパネル９４２に表示される。経過時間が３日目〜５日目までは、芽が出た様子の第２の画像要素Ｗ４３が選択されて表示される。６日目〜８日目までは蕾がついた様子の第３の画像要素Ｗ４６が選択されて表示される。そして、経過時間が９日目以降になると、開花した様子の第４の画像要素Ｗ４９が選択されて表示される。なお、ここでは特別画像を構成する画像要素を４種類として説明したが、これらの途中経過や第４の画像要素Ｗ４９の更に後の様子（例えば、花が枯れて種を付け、全体が枯れるまで）を含むように更に多くの画像要素を用意してもよい。
【００４７】
図６の例は、「表示条件」として、撮影している現在日時を条件とするタイプである。例えば、撮影した時の季節、月、曜日、日、時間帯、時刻、祝日の識別（例えば子供の日等）、夏休み、クリスマス期間、などを表示条件として適宜設定可能である。そして、現在日時が適合する表示条件に対応づけられた特別画像の画像要素を選択して表示させる。
図６の例では、絵画部９１４の左方の観察対象部３０ｂには、朝顔の鉢植えとそれを見ている斑ウサギのキャラクタとが描かれているが、鉢植えの花は咲いていない。ユーザがルーペ型ハンディ機器９３０を使っている時刻が、午後６時以降〜翌午前５時までであれば、当該時間帯に対応づけられている第１の画像要素Ｗ６１（カメラモジュール９５５で撮影しているのと同じ内容）が表示される。しかし、ルーペ型ハンディ機器９３０を使っている時刻が午前５時以降〜午後６時までであれば、当該時間帯に対応付けられた第２の画像要素Ｗ６２（花が咲いた様子）が表示される。
なお、ここでは特定範囲３２ｂに対応付けられる特別画像を構成する画像要素を２種類として説明したが、これらの途中経過や第２の画像要素Ｗ６２の更に後の様子（例えば、夕方以降の花がしぼんだ様子）を含むように更に多くの画像要素を時間帯と対応付けて用意してもよい。
【００４８】
そして、ルーペ型ハンディ機器９３０は、図５や図６のように表示した特別画像の画像表示履歴を記憶し、ユーザが過去に表示した特別画像を任意のタイミングで再現表示することができる。これを「記録表示機能」と呼ぶが、想定されるユーザが子供なので、子供向けには「観察図鑑モード」と呼ぶと好適であろう。
【００４９】
図７は、観察図鑑モードにおける画面表示例を示す図である。
操作部９３４あるいはタッチパネル９４２にて所定の記録表示開始操作が入力されると、ルーペ型ハンディ機器９３０は記録表示画面Ｗ８を表示する。記録表示画面Ｗ８は、メニュー表示部４０と、指定位置表示部４１と、記録表示部４２とを有する。
【００５０】
メニュー表示部４０には、観察対象部３０別に、過去に表示した特別画像のサムネイル４３がスクロール表示可能に表示される。ユーザは再度表示させたい特別画像を示すサムネイル４３を指定位置表示部４１に合わせるようにスライド操作する。
【００５１】
ルーペ型ハンディ機器９３０は、指定位置表示部４１に合わされたサムネイル４３に対応付けられる過去に表示した特別画像を、記録表示部４２にて画像要素別にスクロール表示可能に表示する。記録表示部４２の画像要素へのタッチ操作を検出すると、画面表示例Ｗ１０に示す様に、当該画像要素を拡大表示させる。
【００５２】
なお、記録表示画面Ｗ８には、記録表示終了操作アイコン４４が含まれる。当該アイコンをタッチ操作すると、あるいは操作部９３４にて所定の操作を行うと、記録表示画面Ｗ８の表示を終了させることができる。
【００５３】
また、本実施の形態において、ルーペ型ハンディ機器９３０は、更に音声出力部を備えてもよい。表示部への画像の表示に伴い、音声を出力させることにより、より使用者の興味をそそるルーペ型ハンディ機器を提供することができる。
【００５４】
［機能構成の説明］
図８は、ルーペ型ハンディ機器９３０の機能構成例を示す機能ブロック図である。
本実施形態のルーペ型ハンディ機器９３０は、操作入力部１００と、撮影部１０２と、制御部２００と、画像表示部３７２と、記憶部５００とを備える。
【００５５】
操作入力部１００は、プレーヤによって為された各種の操作入力に応じて操作入力信号を制御部２００へ出力する。例えば、プッシュスイッチや、ジョイスティック、タッチパッド、トラックボール、加速度センサ、ジャイロ、などによって実現できる。図２の例では操作スイッチ９３５や、タッチパネル９４２がこれに該当する。
【００５６】
撮影部１０２は、撮影画像の画像データを制御部２００へ出力する。図２の例ではカメラモジュール９５５がこれに該当する。
【００５７】
制御部２００は、例えばＣＰＵ、ＧＰＵ、半導体メモリ等を１つの半導体素子上に集積したＳｏＣやマイクロコントローラＩＣによって実現され、操作入力部１００や撮影部１０２、記憶部５００を含む各機能部との間でデータの入出力制御を行う。そして、所定のプログラムやデータ、操作入力部１００からの操作入力信号、撮影部１０２からの画像データ等に基づいて各種の演算処理を実行して、ルーペ型ハンディ機器９３０の動作を統合的に制御する。図２の例では制御基板９５０に含まれるものである。
【００５８】
そして、本実施形態における制御部２００は、不可視コード識別部２０２と、コード判別部２０４と、被撮影位置識別部２０６と、部分画像表示制御部２０８と、特別画像表示制御部２１０と、特別画像表示履歴記憶制御部２２０と、記録表示制御部２２２と、時計部２２６と、画像生成部２７２と、を有する。
【００５９】
不可視コード識別部２０２は、撮影部１０２で撮影された撮影画像の画像データを画像解析して、画像内に写っているコード画像２０を検出して、コードパターンやコード画像２０の向き等を識別する。
【００６０】
撮影絵画判別部２０４は、不可視コード識別部２０２により識別されたコード画像２０から絵画部９１４の種類（複数用意された絵画部９１４のいずれであるか）を判別する。
【００６１】
被撮影位置識別部２０６は、撮影されている絵画部９１４の画像中の相対的な被撮影位置を識別する。
具体的には、不可視コード識別部２０２によって識別されたコードパターンから絵画部９１４中の位置を判別し、また、当該コード画像２０が写っている向きから絵画部９１４に対する撮影向きを判別する。この判別位置および判別向きから、撮影された位置（被撮影位置。被撮影範囲とも言える）を割り出す。また、本実施形態では撮影部１０２の焦点距離は採光スカート部９３８によって固定と判断できるため、判別位置および判別向きから、撮影された位置が求められる。
【００６２】
部分画像表示制御部２０８は、被撮影位置識別部２０６により識別された被撮影位置に対応する絵画部９１４の中の部分画像Ｗ２（図４参照）を画像表示部３７２に表示制御させる。
【００６３】
特別画像表示制御部２１０は、被撮影位置識別部２０６により識別された被撮影位置が所定の特別画像を表示するための位置条件を満たした場合に、画像表示部３７２に表示する部分画像Ｗ２の上に、撮影絵画判別部２０４により判別された絵画部９１４に対応づけられた特別画像を表示させる。そして、本実施形態では、計時情報に基づいて特別画像を可変に制御するために、計時情報対応画像選択部として、現在日時対応画像選択部２１２と、時間経過対応画像選択部２１４とを有する。
【００６４】
本実施形態では、観察対象部３０を囲う特定範囲３２が撮影画像に含まれる場合（逆説的に言えば、撮影画像の中心位置座標が特定範囲３２に含まれる場合）に、位置条件を満たしたと判定する。そして、現在日時対応画像選択部２１２は、現在日時に応じて表示する特別画像となる画像要素を選択する（図６参照）。時間経過対応画像選択部２１４は、位置条件を満たした初回日時（観察対象部３０を最初に被写体とした日時）から現在までの時間経過に応じて表示する特別画像となる画像要素を選択する（図５参照）。
【００６５】
特別画像表示履歴記憶制御部２２０は、画像表示部３７２に表示させた特別画像の履歴を記憶部５００に記憶させる。
【００６６】
記録表示制御部２２２は、記録表示画面Ｗ８（図７参照）を画像表示部３７２に表示させ、特別画像表示履歴記憶制御部２２０が記憶させた履歴に基づいて、過去に表示した特別画像を画像表示部３７２に表示させる。
【００６７】
時計部２２６は、日時を計時する。図２の時計部９５３がこれに該当する。
【００６８】
画像生成部２７２は、例えば、ＧＰＵ、デジタルシグナルプロセッサ（ＤＳＰ）などのプロセッサ、ビデオ信号コントローラ、ビデオコーデックなどのプログラムや回路、フレームバッファ等の描画フレーム用半導体メモリ等によって実現される。
そして、画像生成部２７２は、部分画像表示制御部２０８や、特別画像表示制御部２１０、記録表示制御部２２２の制御に従って、所定の１フレーム時間（例えば１／６０秒）で１枚の画像を生成し、生成した画像の画像信号を画像表示部３７２に出力する。
【００６９】
画像表示部３７２は、画像生成部２７２から入力される画像信号に基づいて各種画像を表示する。図２のタッチパネル９４２がこれに該当する。
【００７０】
記憶部５００は、制御部２００にルーペ型ハンディ機器９３０を統合的に制御させるための諸機能を実現するためのプログラム、各種データ等を記憶する。また、制御部２００の演算処理の作業領域として用いられ、制御部２００が各種プログラムに従って実行した演算結果や、操作入力部１００から入力される入力データ、撮影部１０２から入力された画像データ等を一時的に記憶する。こうした機能は、例えばＲＡＭやＲＯＭなどの半導体メモリ、ハードディスク等の磁気ディスク、ＣＤ−ＲＯＭやＤＶＤなどの光学ディスクなどによって実現される。図２の例では制御基板９５０が搭載するＩＣメモリ９５２やＳｏＣ９５１に内蔵される半導体メモリがこれに該当する。
【００７１】
図９は、本実施形態の記憶部５００に記憶されるプログラムやデータの例を示す図である。本実施形態の記憶部５００には、システムプログラム５０１と、ハンディ機器制御プログラム５０２と、絵画部識別定義データ５１０と、絵画部定義データ５２０と、特別画像定義データ５３０と、が記憶されている。その他、使用に応じて、撮影対象絵画部ＩＤ５５０や、被撮影位置定義データ５５２、特別画像表示履歴データ５６０，計時用のタイマやカウンタ、各種フラグなどの情報が記憶される。
【００７２】
システムプログラム５０１は、ルーペ型ハンディ機器９３０にコンピュータとしての入出力の基本機能を実現させるための基本プログラムである。
【００７３】
ハンディ機器制御プログラム５０２は、制御部２００に不可視コード識別部２０２等の各機能部を実現させるためのプログラムである。
【００７４】
絵画部識別定義データ５１０は、本体部９１０が備える絵画部９１４別に用意される。１つの絵画部識別定義データ５１０は、当該絵画部９１４に含まれる各コード画像の情報（コードパターンや、当該絵画部に埋め込まれた（印刷された）位置、向きなどの情報）と、当該絵画部９１４を識別するための絵画部ＩＤとを格納する。勿論、これら以外のデータ、例えば絵画部９１４毎にコード画像の配列規則を変更する場合には、その配列規則の情報なども適宜格納することができる。
【００７５】
絵画部定義データ５２０は、本体部９１０が備える絵画部９１４別に用意され、それぞれの絵画部９１４を定義する。１つの絵画部定義データ５２０は、例えば図１０に示すように、絵画部ＩＤ５２１と、絵画画像データ５２２と、特定範囲定義データ５２３に対応付けられた特別画像ＩＤ５２４とを含む。勿論、これら以外のデータも適宜格納することができる。
【００７６】
絵画画像データ５２２は、対応する絵画部９１４と同じ画像座標系を有し、同じ内容を表示するためのデータである。本実施形態では２次元画像データである。
【００７７】
特定範囲定義データ５２３は、対応する絵画部９１４に設定されている観察対象部３０別の特定範囲３２を定義する（図３参照）。本実施形態の特定範囲３２は矩形領域なので、絵画画像データ５２２の画像座標系における矩形領域四隅の各座標を格納する。
【００７８】
特別画像ＩＤ５２４は、観察対象部３０およびその特定範囲３２に対応づけられる特別画像を示す。
【００７９】
図９に戻って、特別画像定義データ５３０は、特別画像毎に用意され、当該特別画像の構成を定義する。１つの特別画像定義データ５３０は、例えば図１１に示すように、特別画像ＩＤ５３１と、画像要素用表示原点座標５３５と、表示条件５４０と対応付けられた画像要素ＩＤ５４１および画像要素データ５４３とを含む。勿論、これら以外のデータも適宜格納することができる。
【００８０】
画像要素用表示原点座標５３５は、絵画部９１４の画像の何処に特別画像を表示するかの基準位置を定義する。
【００８１】
表示条件５４０は、対応する画像要素データ５４３を表示させるための条件である。本実施形態では前述のように、最初に撮影した日時からの経過時間を設定するタイプ（図５参照）と、撮影した現在日時が比較対象となる日時の条件を設定するタイプ（図６参照）との２タイプがある。
【００８２】
画像要素データ５４３は、特定範囲３２と同じサイズの画像要素を定義するデータである。図５における第１の画像要素Ｗ４１〜第４の画像要素Ｗ４９、図６における第１の画像要素Ｗ６１および第２の画像要素Ｗ６２も当該データで定義される。画像要素用表示原点座標５３５に基づいて表示すると丁度、特定範囲３２を覆う位置に画像要素が表示される。
【００８３】
図９に戻って、撮影対象絵画部ＩＤ５５０は、現在撮影されている絵画部９１４の絵画部ＩＤを格納する。
【００８４】
被撮影位置定義データ５５２は、現在撮影されている絵画部９１４の画像中における相対的な被撮影位置すなわち撮影されている部分を定義するための情報を格納する。本実施形態では、撮影画像中心位置座標５５４と、回転角度５５６と、被撮影範囲の四隅の位置座標を示す範囲四隅位置座標リスト５５８とを含む。
なお、本実施形態では、ルーペ型ハンディ機器９３０は、採光スカート部９３８をページ９１２に当てるようにして使用されるので、カメラモジュール９５５の光軸Ｌは、絵画部９１４の印刷面に対して垂直または略垂直となる所定の相対姿勢に維持される。そのため、回転角度５５６は垂直軸周りの回転成分（光軸Ｌ周りのロール角度）のみとする。しかし、採光スカート部９３８を設けない構成では、ページ９１２に対する相対姿勢は必ずしも一定にはならないので、光軸Ｌ周りのロール角度に加えて、ピッチ角度と、ヨー角度とを加えることができる。
【００８５】
特別画像表示履歴データ５６０は、特別画像が表示される都度、表示日時５６１と対応づけて、表示した特別画像の特別画像ＩＤ５６３と、当該特別画像の画像要素ＩＤ５６５とが格納される。なお、特別画像表示履歴データ５６０は、所定の履歴消去操作をすると全履歴が抹消されるものとする。
【００８６】
［処理の流れの説明］
図１２は、ルーペ型ハンディ機器９３０における処理の流れについて説明するためのフローチャートである。
制御部２００は、カメラモジュール９５５で撮影した撮影画像内にコード画像２０が含まれているか否か判定する（ステップＳ２）。
【００８７】
肯定の場合（ステップＳ２のＹＥＳ）、制御部２００は撮影画像内のコード画像２０のコードパターンから、今現在撮影されている絵画部９１４の種類を識別する（ステップＳ４）。そして、撮影対象絵画部ＩＤ５５０（図９参照）には、識別した絵画部９１４の絵画部ＩＤが設定される。
【００８８】
次いで、制御部２００は識別された絵画部９１４の画像中における被撮影位置を特定する（ステップＳ８）。具体的には、コードパターンや、コード画像２０が写っている撮影画像中の位置および向きに基づいて、絵画部９１４のどこを撮影しているか、および撮影角度（撮影方向に対するロール角：時計回り／反時計回りの角度）を特定し、被撮影範囲の四隅の座標を算出する。
【００８９】
そして、撮影対象絵画部ＩＤ５５０に合致する絵画部ＩＤ５２１（図１０参照）を有する絵画部定義データ５２０の絵画画像データ５２２に基づいて、被撮影位置に対応する部分画像をタッチパネル９４２に表示させる（ステップＳ１０）。
【００９０】
もし、撮影画像（被撮影範囲）内に特定範囲３２の全体または一部が含まれているならば、特定画像を表示するための位置条件を満たしていると判断し（ステップＳ３０のＹＥＳ）、制御部２００は、該当する特定範囲３２に対応する特別画像を選択して（ステップＳ３２）、ステップＳ１０で表示している部分画像上に重ねて画面表示する（ステップＳ３４）。
【００９１】
具体的には、特定範囲定義データ５２３（図１０参照）が定義する特定範囲３２毎に、当該特定範囲が被撮影位置定義データ５５２の示す被撮影範囲内にその一部又は全体が含まれているかを判定する。
含まれている場合に、該当する特定範囲定義データ５２３に対応づけられている特別画像ＩＤ５２４と合致する特別画像定義データ５３０を参照する（図１１参照）。そして、参照した特別画像定義データ５３０の表示条件５４０の中から適合する条件を検索し、適合した表示条件５４０に対応する画像要素データ５４３を選択して読み出し、画像要素用表示原点座標５３５に基づいて、ステップＳ１０で画面表示を開始した部分画像上に表示させる。前述のように、画像要素データ５４３が定義する画像要素は、観察対象部３０を囲う特定範囲３２と同じサイズで、且つその真上に重ね表示される。よって、タッチパネル９４２に表示されている画面表示上では、観察対象部３０の様子が変化したかのように見える。
【００９２】
次いで、制御部２００は特別画像の表示履歴を記憶する（ステップＳ３６）。
すなわち、特別画像表示履歴データ５６０（図９参照）に、現在日時を新たな表示日時５６１として設定し、これに対応づけられる画像要素ＩＤ５６５には、ステップＳ３４で画像表示した画像要素データ５４３の画像要素ＩＤ５４１（図１１参照）を格納し、特別画像ＩＤ５６３には特別画像ＩＤ５３１（図１１参照）を設定する。
【００９３】
そして、所定の記録表示開始操作が検出されると（ステップＳ５０のＹＥＳ）、制御部２００は、タッチパネル９４２に記録表示画面Ｗ８（図７参照）を表示させる（ステップＳ５２）。
【００９４】
そして、メニュー表示部４０での選択操作に応じて記録表示部４２にて過去に表示した特別画像を表示させる（ステップＳ５４）。具体的には、所定位置（指定位置表示部４１の上）にあるサムネイル４３に対応する画像要素データ５４３と同じＩＤの特別画像ＩＤ５６３に対応する画像要素ＩＤ５６５を読み出して、記録表示部４２に表示させる。
【００９５】
所定の記録表示終了操作が検出されると（ステップＳ５６のＮＯ）、記録表示画面Ｗ８の表示が解除される（ステップＳ５８）。
【００９６】
一方、ステップＳ２にて、撮影画像にコード画像２０が写っていなければ（ステップＳ２のＮＯ）、撮影が正しく行われていない（絵画部９１４に採光スカート部９３８を当てた状態で撮影していない）として、撮影画像を消去し、画面には何も表示しない等の撮影が正しく行われていない旨を示す所定表示とする（ステップＳ６０）。
【００９７】
また、本発明に係る情報提供プログラムは、換言すれば、撮影部（例えば、カメラモジュール９５５）、及び表示部（例えば、タッチパネル９４２）を備えたコンピュータを、表示用画像データ（例えば、絵画画像データ５２２）を記憶する表示用画像データ記憶手段、情報部（例えば、絵画部９１４）に記載された画像を前記撮影部で認識した場合に、前記撮影部で認識した画像に基づいて、前記情報部中の被撮影位置を識別する被撮影位置識別手段、前記被撮影位置識別手段により識別された被撮影位置に基づいて、前記表示用画像データ記憶手段に記憶された表示用画像データから前記表示部に表示させる部分画像データを生成し、当該部分画像データに基づく部分画像を前記表示部に表示制御させる部分画像表示制御手段、として機能させる情報提供プログラムであって、前記部分画像の輪郭は、前記撮影部で認識した画像の輪郭と少なくとも一部が一致する情報提供プログラムである。
【００９８】
本実施形態によると、ハンディ機器で絵画部の絵画画像を観察する（撮影する）と、ハンディ機器の表示部には絵画画像のうち撮影されている範囲に対応する部分画像が表示される。例えば、絵画画像を昆虫の写真とすれば、あたかもハンディ機器で昆虫を観察しているかのような疑似的な観察行為を体感できる。また、記憶部に記憶された画像データのみを表示部に表示することにより、本来なら表示部に表示されるであろうコード画像が表示部に表示されないため、コード画像の表示部への写りこみを気にする必要がなくなり、絵画部の絵画画像とコード画像のデザインの自由度を向上させることができる。
【００９９】
本実施形態によると、ハンディ機器の表示部に表示される画像に、絵画部には描かれていない特別画像を表示させることができる。すなわち、「肉眼では見えないものが画面越しでは見える」体感を提供することができる。前述のごとく、こうした体感はとても印象が強い。よって、擬似的な体感であるが“観察する行為”の楽しさを印象づけ、子供の知育によい効果をもたらすことができる。
【０１００】
また、本実施形態によると、ハンディ機器で絵画部を観察した（撮影した）日時や観察開始からの時間経過などに応じて特別画像の内容を変化させることができる。例えば、所定の時間帯（例えば、早朝）にしか見ることのできない内容の特別画像を用意しておいて子供がそれを上手く見ることができれば、観察時間の大切さを印象づけることができる。
【０１０１】
また、本実施形態によると、観察記録とそれを後から再び見る行為を疑似的に体験させることができる。
【０１０２】
また、本実施形態によると、絵画部を観察する（撮影する）位置によって表示部に表示される内容が変化するので、子供に絵画部の隅々まで観察する意欲を湧かせることができる。
【０１０３】
また、本実施形態によると、コード画像の配置関係から被撮影位置を割り出すことができる。絵画画像の部分部分をその都度画像認識技術で判定して被撮影位置を割り出す構成よりも遙かに演算負荷が少なく済む。制御部を実現する上で、それほど高い処理能力の演算装置を用いなくてもよくなるので、ハンディ機器の製造コストを削減することができる。
【０１０４】
また、本実施形態によると、ハンディ機器を、観察行為の代表的なアイテムである“ルーペ“を模したデザインとすることで、擬似体感であっても観察行為の雰囲気を高めることができる。
【０１０５】
以上、本実施形態によれば、ユーザは、ルーペで対象を観察するようにルーペ型ハンディ機器９３０を絵画部９１４に当てて覗き窓部９４０を覗き込めば、時間経過やその時々によって観察対象部３０が変化した様子を見ることができる。よって、時間をかけて観察したり、時間を変えて観察することで新しい発見をする擬似体験を提供することができる。観察対象部３０の内容は、当然のことながら自然科学分野のものから、家庭料理の過程などさまざま設定が可能で有り、広く多様な分野の疑似体験をユーザに与えることができる。
【０１０６】
〔変形例〕
なお、本発明の適用形態は上記実施形態に限らず、適宜構成要素の変更・追加・省略ができる。
【０１０７】
例えば、ルーペ型ハンディ機器９３０は、上記実施形態のように専用設計の機器とする構成に限らない。スマートフォンやタブレット機器などの携帯型電子機器に、ハンディ機器制御プログラム５０２（図９参照）と、絵画部識別定義データ５１０と、絵画部定義データ５２０と、特別画像定義データ５３０とを記憶させて、ハンディ機器制御プログラム５０２をアプリケーションとして実行させることにより実現するとしてもよい。但し、この構成の場合、採光スカート部９３８に相当するパーツを用意する事ができないので、所定の近接撮影時（適切な撮影距離の場合）にのみ絵画部９１４の画像や特別画像を表示するように制御することで実現することができる。具体的には、ステップＳ２でコード画像２０を正しく認識できた場合にのみ、ステップＳ６以降の処理が実行されるようにすればよい。なお、もちろん携帯型電子機器に着脱可能な採光スカート部９３８に相当するパーツを別途用意し、使用時に装着して使用するようにしてもよい。
【０１０８】
また、上記実施の形態では、子供向けの玩具システムを例に説明したが、もちろんこれに限られることはない。例えば、大人向けコンテンツを実行する情報提供システムに適用することも可能である。
【符号の説明】
【０１０９】
２０・・・コード画像
３０・・・観察対象部
３２・・・特定範囲
４０・・・メニュー表示部
４１・・・指定位置表示部
４２・・・記録表示部
４３・・・サムネイル
４４・・・記録表示終了操作アイコン
１０２・・・撮影部
２００・・・制御部
２０２・・・不可視コード識別部
２０４・・・撮影絵画判別部
２０６・・・被撮影位置識別部
２０８・・・部分画像表示制御部
２１０・・・特別画像表示制御部
２１２・・・現在日時対応画像選択部
２１４・・・時間経過対応画像選択部
２２０・・・特別画像表示履歴記憶制御部
２２２・・・記録表示制御部
２２６・・・時計部
３７２・・・画像表示部
５００・・・記憶部
５０２・・・ハンディ機器制御プログラム
５１０・・・絵画部識別定義データ
５２０・・・絵画部定義データ
５２２・・・絵画画像データ
５２３・・・特定範囲定義データ
５３０・・・特別画像定義データ
５４０・・・表示条件
５４３・・・画像要素データ
５５０・・・撮影対象絵画部ＩＤ
５５２・・・被撮影範囲定義データ
５５４・・・撮影画像中心位置座標
５５６・・・回転角度
５５８・・・範囲四隅位置座標リスト
５６０・・・特別画像表示履歴データ
５６１・・・表示日時
５６３・・・特別画像ＩＤ
５６５・・・画像要素ＩＤ
９００・・・玩具システム
９１０・・・本体部
９１４・・・絵画部
９３０・・・ルーペ型ハンディ機器
９３８・・・採光スカート部
９４０・・・覗き窓部
９４２・・・タッチパネル
９５０・・・制御基板
９５１・・・ＳｏＣ
９５２・・・ＩＣメモリ
９５３・・・時計部
９５５・・・カメラモジュール
Ｗ２・・・部分画像
Ｗ４１・・・第１の画像要素
Ｗ４３・・・第２の画像要素
Ｗ４６・・・第３の画像要素
Ｗ４９・・・第４の画像要素
Ｗ６１・・・第１の画像要素
Ｗ６２・・・第２の画像要素
Ｗ８・・・記録表示画面
【図１】
2020074197.tif 000003
【図２】
2020074197.tif 000004
【図３】
2020074197.tif 000005
【図４】
2020074197.tif 000006
【図５】
2020074197.tif 000007
【図６】
2020074197.tif 000008
【図７】
2020074197.tif 000009
【図８】
2020074197.tif 000010
【図９】
2020074197.tif 000011
【図１０】
2020074197.tif 000012
【図１１】
2020074197.tif 000013
【図１２】
2020074197.tif 000014
【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
情報が記載された情報部と、撮影部、表示部、記憶部および制御部を備えた携帯型電子機器とを具備した情報提供システムであって、
前記情報部には、画像コンテンツが描かれており、前記情報部を前記撮影部で認識した場合に、前記認識した画像に基づいて前記情報部中の被撮影位置を識別可能であり、
前記記憶部は、前記画像コンテンツと同じ画像を前記表示部に表示可能な画像データを記憶し、
前記制御部は、前記撮影部によって認識した画像に基づいて前記情報部中の被撮影位置を識別し、前記撮影部で撮影されている被撮影範囲と一致する範囲の部分画像を前記画像データに基づいて前記表示部に表示制御させる、
情報提供システム。
【請求項２】
請求項１において、
前記制御部は、特別画像を表示するための表示条件を満たした場合に、前記表示部に前記特別画像を表示させる情報提供システム。
【請求項３】
請求項１または請求項２において、
前記情報部は、少なくとも２つのコード画像を備え、前記コード画像を前記撮影部で認識した場合に、認識した前記コード画像に基づいて前記情報部中の被撮影位置を識別可能である、
情報提供システム。
【請求項４】
請求項３において、
一方の前記コード画像は、他方の前記コード画像に対して傾斜した状態で配置される、
情報提供システム。
【請求項５】
請求項２乃至請求項４のいずれか一項において、
前記携帯型電子機器は、計時部を更に備え、
前記制御部は、前記計時部による計時情報に基づいて前記特別画像を可変に制御する情報提供システム。
【請求項６】
請求項２乃至請求項５のいずれか一項において、
前記制御部は、前記表示部に表示した前記特別画像の履歴を前記記憶部に記憶させ、当該履歴に基づいて、過去に表示した前記特別画像を前記表示部に表示させる記録表示制御部を有する情報提供システム。
【請求項７】
請求項１乃至請求項６のいずれか一項において、
前記情報部は、前記近接撮影で撮影した撮影画像が、被撮影位置に応じて異なる画像で構成されてなる情報提供システム。
【請求項８】
請求項１乃至請求項７のいずれか一項において、
前記情報部は、肉眼で判別不可能な前記コード画像が所定の配置規則で埋め込まれた画像で構成されてなる情報提供システム。
【請求項９】
請求項１乃至請求項８のいずれか一項において、
前記携帯型電子機器は、覗き窓部を備えたルーペ形状を有し、
前記表示部が、前記覗き窓部に設けられた情報提供システム。
【請求項１０】
撮影部、及び表示部を備えた携帯型電子機器を、
画像コンテンツが描かれた情報部に記載された情報を前記撮影部で認識した場合に、前記撮影部で認識した画像に基づいて、前記情報部中の被撮影位置を識別する被撮影位置識別手段、
前記画像コンテンツと同じ画像を前記表示部に表示可能な画像データに基づいて、前記被撮影位置識別手段により識別された被撮影位置に対応する、前記画像コンテンツ中の前記撮影部で撮影されている被撮影範囲と一致する範囲の部分画像データを前記表示部に表示制御させる部分画像表示制御手段、
として機能させる情報提供プログラム。
【請求項１１】
請求項１０において、
前記携帯型電子機器を、
前記被撮影位置の位置条件を判別する被撮影位置条件識別手段、
特別画像を表示するための表示条件を満たした場合に、前記特別画像を表示制御する特別画像表示制御手段、
として機能させる情報提供プログラム。
【請求項１２】
請求項１１において、
前記携帯型電子機器は、更に計時部を備え、
前記携帯型電子機器を、
前記計時部による計時情報に基づいて前記特別画像を可変に表示制御する計時情報対応画像選択手段として機能させる情報提供プログラム。
【請求項１３】
請求項１１又は請求項１２において、
前記携帯型電子機器を、
前記表示部に表示した前記特別画像の履歴を前記記憶部に記憶させる特別画像表示履歴記憶手段、
前記履歴に基づいて、過去に表示した前記特別画像を前記表示部に表示制御する記録表示制御手段、として機能させる情報提供プログラム。
【請求項１４】
請求項１０乃至請求項１３のいずれか一項において、
前記被撮影位置識別手段において、前記被撮影位置は、前記情報部中の画像のパタンマッチングにより識別される情報提供プログラム。
【請求項１５】
請求項１０乃至請求項１３のいずれか一項において、
前記被撮影位置識別手段において、前記被撮影位置は、少なくとも２つのコード画像を備えた前記情報部中の少なくとも一方のコード画像と、前記一方のコード画像に対して傾斜した状態で配置された他方のコード画像と、により識別される情報提供プログラム。
【請求項１６】
請求項１５において、
前記被撮影位置識別手段において、前記被撮影位置は、前記情報部中の肉眼で判別不可能な前記コード画像により識別される情報提供プログラム。
【手続補正２】
【補正対象書類名】明細書
【補正対象項目名】０００６
【補正方法】変更
【補正の内容】
【０００６】
本発明の情報提供システムは、情報が記載された情報部（例えば、図１の絵画部９１４）と、撮影部（例えば、図２のカメラモジュール９５５）、表示部（例えば、図２のタッチパネル９４２）、記憶部（例えば、図２のＩＣメモリ９５２、ＳｏＣ９５１に内蔵される半導体メモリ）および制御部（例えば、図２の制御基板９５０、ＳｏＣ９５１）を備えた携帯型電子機器（例えば、図１のルーペ型ハンディ機器９３０）とを具備した情報提供システムであって、前記情報部には、前記情報部を前記撮影部で認識した場合に、前記認識した画像に基づいて前記情報部中の被撮影位置を識別可能に構成された画像が描かれており、前記記憶部は、前記情報部の部分画像を前記表示部に表示するための画像データ（例えば、図１０の絵画画像データ５２２）を記憶し、前記制御部は、前記撮影部によって認識した前記画像に基づいて前記情報部中の被撮影位置を識別し、前記被撮影位置に応じた前記情報部中の部分画像を前記画像データに基づいて前記表示部に表示制御させる（例えば、図１２のステップＳ１０）。また、本発明の情報提供システムは、情報が記載された情報部と、撮影部、表示部、記憶部および制御部を備えた携帯型電子機器とを具備した情報提供システムであって、前記情報部には、画像コンテンツが描かれており、前記情報部を前記撮影部で認識した場合に、前記認識した画像に基づいて前記情報部中の被撮影位置を識別可能であり、前記記憶部は、前記画像コンテンツと同じ画像を前記表示部に表示可能な画像データを記憶し、前記制御部は、前記撮影部によって認識した画像に基づいて前記情報部中の被撮影位置を識別し、前記撮影部で撮影されている被撮影範囲と一致する範囲の部分画像を前記画像データに基づいて前記表示部に表示制御させる。

【手続補正３】
【補正対象書類名】明細書
【補正対象項目名】００１３
【補正方法】変更
【補正の内容】
【００１３】
また、本発明は、撮影部、及び表示部を備えたコンピュータを、情報部に記載された情報を前記撮影部で認識した場合に、前記撮影部で認識した画像に基づいて、前記情報中の被撮影位置を識別する被撮影位置識別手段（例えば、図８の制御部２００、被撮影位置識別部２０６、図１２のステップＳ８）、前記被撮影位置識別手段により識別された被撮影位置基づいて、前記コンピュータに記憶された前記情報部中の部分画像データを前記表示部に表示制御させる部分画像表示制御手段（例えば、図８の制御部２００、部分画像表示制御部２０８、図１２のステップＳ１０）、として機能させる情報提供プログラム（例えば、図９のハンディ機器制御プログラム５０２）である。また、本発明は、撮影部、及び表示部を備えた携帯型電子機器を、画像コンテンツが描かれた情報部に記載された情報を前記撮影部で認識した場合に、前記撮影部で認識した画像に基づいて、前記情報部中の被撮影位置を識別する被撮影位置識別手段、前記画像コンテンツと同じ画像を前記表示部に表示可能な画像データに基づいて、前記被撮影位置識別手段により識別された被撮影位置に対応する、前記画像コンテンツ中の前記撮影部で撮影されている被撮影範囲と一致する範囲の部分画像データを前記表示部に表示制御させる部分画像表示制御手段、として機能させる情報提供プログラムである。